(57)【特許請求の範囲】
【請求項１】
吸着剤が担持された第１吸着熱交換器（101）及び第２吸着熱交換器（102）を有し、これらの吸着熱交換器（101,102）の一方が蒸発器になって他方が凝縮器になる動作と一方が凝縮器になって他方が蒸発器になる動作が交互に切り換えられる冷媒回路（100）と、
上記第１吸着熱交換器（101）が設けられる第１熱交換室（S11）及び上記第２吸着熱交換器（102）が設けられる第２熱交換室（S12）と、
通常運転時に、両熱交換室（S11,S12）のうちで蒸発器になっている吸着熱交換器（101,102）がある熱交換室（S11,S12）を通過した処理側空気を調湿空間（S1）に供給し、凝縮器になっている吸着熱交換器（101,102）がある熱交換室（S11,S12）を再生側空気が通過するように空気の流れを切り換える切換機構（200）と、
上記第１熱交換室（S11）において上記第１吸着熱交換器（101）が蒸発器になっている場合に該蒸発器の下流側になり該第１吸着熱交換器（101）が凝縮器になっている場合に該凝縮器の上流側になる位置に設けられた、吸着剤が担持された第１吸着ブロック（301）と、
上記第２熱交換室（S12）において上記第２吸着熱交換器（102）が蒸発器になっている場合に該蒸発器の下流側になり該第２吸着熱交換器（102）が凝縮器になっている場合に該凝縮器の上流側になる位置に設けられた、吸着剤が担持された第２吸着ブロック（302）と、を備え、
上記切換機構（200）は、上記冷媒回路（100）の圧縮機（103）を起動する前に、該圧縮機（103）の起動時に凝縮器になる吸着熱交換器（101,102）に対して上流側に位置する吸着ブロック（301,302）に冷却用の空気を流す予冷運転を行うように構成されていることを特徴とする除湿システム。
【請求項２】
請求項１において、
上記切換機構（200）は、予冷運転時に、上記処理側空気と再生側空気のうちで温度が低い空気を、上記圧縮機（103）の起動時に凝縮器になる吸着熱交換器（101,102）の上流側に位置する吸着ブロック（301,302）に流すように構成されていることを特徴とする除湿システム。
【請求項３】
請求項２において、
上記切換機構（200）は、予冷運転時に上記処理側空気の温度が上記再生側空気の温度よりも低い場合、上記圧縮機（103）の起動時に凝縮器になる吸着熱交換器（101,102）がある熱交換室（S11,S12）を処理側空気が通過する切り換え動作が可能に構成されていることを特徴とする除湿システム。
【請求項４】
請求項３において、
上記切換機構（200）は、上記第１熱交換室（S11）と第２熱交換室（S12）を通る空気の流通経路を切り換える複数のダンパ（D1〜D8）により構成され、上記通常運転の開始時に開くダンパ（D2,D3,D5,D8）を上記予冷運転時に閉じ、上記通常運転の開始時に閉じるダンパ（D1,D4,D6,D7）を上記予冷運転時に開くことにより、予冷運転の切り換え動作が行われることを特徴とする除湿システム。
【請求項５】
請求項３または４において、
上記切換機構（200）は、圧縮機（103）の起動時に凝縮器になる吸着熱交換器（101,102）がある熱交換室（S11,S12）を処理側空気が通過する予冷運転の切り換え動作を所定時間にわたって行った後に、蒸発器になる吸着熱交換器（101,102）がある熱交換室（S11,S12）を処理側空気が通過する通常運転の切り換え動作を行うように構成されていることを特徴とする除湿システム。
【請求項６】
請求項１から５の何れか１つにおいて、
上記吸着熱交換器（101,102）へ供給される処理側空気を予め冷却する冷却器を備え、
上記切換機構（200）は、予冷運転時に、上記冷却器で冷却された空気を圧縮の起動時に凝縮器になる吸着熱交換器（101,102）の上流側に位置する吸着ブロック（301,302）へ送るように構成されていることを特徴とする除湿システム。
【発明の詳細な説明】
【技術分野】
【０００１】
本発明は、空気を除湿して調湿空間に供給する除湿装置を備えた除湿システムに関するものである。
【背景技術】
【０００２】
従来、空気を除湿して調湿空間（例えば、室内空間）に供給する除湿装置が知られている。例えば、特許文献１には、２つの吸着熱交換器を有する冷媒回路を備え、吸着熱交換器において空気の湿度調整を行う調湿装置が記載されている。この調湿装置は、第１吸着熱交換器が凝縮器となり第２吸着熱交換器が蒸発器となる動作と、第１吸着熱交換器が蒸発器となり第２吸着熱交換器が凝縮器となる動作とを交互に繰り返し行う。具体的には、この調湿装置は、蒸発器として機能する吸着熱交換器において除湿された空気を室内に供給するとともに凝縮器として機能する吸着熱交換器において加湿された空気を室外に排出する除湿運転を行う。
【０００３】
ところで、特許文献１のような除湿装置（調湿装置）では、冷媒回路の圧縮機の回転数を増加させることによって除湿能力を向上させることが考えられる。しかしながら、冷媒回路の圧縮機の回転数を増加させると、除湿装置の消費電力が増大してしまう。そこで、吸着熱交換器とともに吸着ブロック（通気性のある構造体に吸着剤を担持させたブロック状の部材）を用いて空気の除湿量を増大させ、消費電力を抑えながら除湿能力を向上させることが考えられる。
【先行技術文献】
【特許文献】
【０００４】
【特許文献１】特開２００６−３４９２９４号公報
【発明の概要】
【発明が解決しようとする課題】
【０００５】
しかしながら、除湿装置を設置する場所は、周囲温度が高温（例えば４０℃〜５０℃）になる環境である場合があり、そのような環境で吸着ブロックを用いる構成を採用すると、圧縮機を起動する前に吸着ブロックが高温になっていることがある。そうすると、圧縮機を起動したときに冷媒回路の凝縮温度が高くなりすぎるおそれがあり、その結果、冷媒回路の高圧圧力が過度に上昇して圧縮機が停止してしまうおそれがある。
【０００６】
本発明は、このような問題点に鑑みてなされたものであり、その目的は、吸着熱交換器とともに吸着ブロックを用いる除湿システムにおいて、除湿装置の設置場所の周囲温度に関わらず、吸着熱交換器が接続されている冷媒回路の高圧圧力が圧縮機の起動時に過度に上昇するのを抑え、圧縮機が停止するのを防止できるようにすることである。
【課題を解決するための手段】
【０００７】
第１の発明の除湿システムは、吸着剤が担持された第１吸着熱交換器（101）及び第２吸着熱交換器（102）を有し、これらの吸着熱交換器（101,102）の一方が蒸発器になって他方が凝縮器になる動作と一方が凝縮器になって他方が蒸発器になる動作が交互に切り換えられる冷媒回路（100）と、上記第１吸着熱交換器（101）が設けられる第１熱交換室（S11）及び上記第２吸着熱交換器（102）が設けられる第２熱交換室（S12）と、通常運転時に、両熱交換室（S11,S12）のうちで蒸発器になっている吸着熱交換器（101,102）がある熱交換室（S11,S12）を通過した処理側空気を調湿空間（S1）に供給し、凝縮器になっている吸着熱交換器（101,102）がある熱交換室（S11,S12）を再生側空気が通過するように空気の流れを切り換える切換機構（200）と、上記第１熱交換室（S11）において上記第１吸着熱交換器（101）が蒸発器になっている場合に該蒸発器の下流側になり該第１吸着熱交換器（101）が凝縮器になっている場合に該凝縮器の上流側になる位置に設けられた、吸着剤が担持された第１吸着ブロック（301）と、上記第２熱交換室（S12）において上記第２吸着熱交換器（102）が蒸発器になっている場合に該蒸発器の下流側になり該第２吸着熱交換器（102）が凝縮器になっている場合に該凝縮器の上流側になる位置に設けられた、吸着剤が担持された第２吸着ブロック（302）と、を備えた除湿システムにおいて、上記切換機構（200）が、上記冷媒回路（100）の圧縮機（103）を起動する前に、該圧縮機（103）の起動時に凝縮器になる吸着熱交換器（101,102）に対して上流側に位置する吸着ブロック（301,302）に冷却用の空気を流す予冷運転を行うように構成されていることを特徴としている。
【０００８】
この第１の発明では、上記冷媒回路（100）の圧縮機（103）を起動する前に、該圧縮機（103）の起動時に凝縮器になる吸着熱交換器（101,102）に対して上流側に位置する吸着ブロック（301,302）に冷却用の空気を流す予冷運転が行われるように、上記切換機構（200）が切り換えられる。このことにより、次に圧縮機（103）を起動するときには、凝縮器になる吸着熱交換器（101,102）に対して上流側に位置する吸着ブロック（301,302）が既に冷却されているので、凝縮器の温度上昇が抑えられる。
【０００９】
第２の発明は、第１の発明において、上記切換機構（200）が、予冷運転時に、上記処理側空気と再生側空気のうちで温度が低い空気を、上記圧縮機（103）の起動時に凝縮器になる吸着熱交換器（101,102）の上流側に位置する吸着ブロック（301,302）に流すように構成されていることを特徴としている。
【００１０】
この第２の発明では、予冷運転時に、上記処理側空気と再生側空気のうちで温度が低い空気が、上記圧縮機（103）の起動時に凝縮器になる吸着熱交換器（101,102）の上流側に位置する吸着ブロック（301,302）を流れる。したがって、その吸着ブロック（301,302）が確実に冷却される。
【００１１】
第３の発明は、第２の発明において、上記切換機構（200）は、予冷運転時に上記処理側空気の温度が上記再生側空気の温度よりも低い場合、上記圧縮機（103）の起動時に凝縮器になる吸着熱交換器（101,102）がある熱交換室（S11,S12）を処理側空気が通過する切り換え動作が可能に構成されていることを特徴としている。
【００１２】
この第３の発明では、予冷運転時に、上記処理側空気と再生側空気のうちで温度が低い処理側空気が、上記圧縮機（103）の起動時に凝縮器になる吸着熱交換器（101,102）の上流側に位置する吸着ブロック（301,302）を流れる。したがって、その吸着ブロック（301,302）が確実に冷却される。
【００１３】
第４の発明は、第３の発明において、上記切換機構（200）は、上記第１熱交換室（S11）と第２熱交換室（S12）を通る空気の流通経路を切り換える複数のダンパ（D1〜D8）により構成され、上記通常運転の開始時に開くダンパ（D2,D3,D5,D8）を上記予冷運転時に閉じ、上記通常運転の開始時に閉じるダンパ（D1,D4,D6,D7）を上記予冷運転時に開くことにより、予冷運転の切り換え動作が行われることを特徴としている。
【００１４】
この第４の発明では、通常運転の開始時に開くダンパ（D2,D3,D5,D8）を上記予冷運転時に閉じ、上記通常運転の開始時に閉じるダンパ（D1,D4,D6,D7）を上記予冷運転時に開くことにより、上記圧縮機（103）の起動時に凝縮器になる吸着熱交換器（101,102）の上流側に位置する吸着ブロック（301,302）が冷却される。
【００１５】
第５の発明は、第３または第４の発明において、上記切換機構（200）は、圧縮機（103）の起動時に凝縮器になる吸着熱交換器（101,102）がある熱交換室（S11,S12）を処理側空気が通過する予冷運転の切り換え動作を所定時間にわたって行った後に、蒸発器になる吸着熱交換器（101,102）がある熱交換室（S11,S12）を処理側空気が通過する通常運転の切り換え動作を行うように構成されていることを特徴としている。
【００１６】
この第５の発明では、上記圧縮機（103）の起動時に凝縮器になる吸着熱交換器（101,102）がある熱交換室（S11,S12）を処理側空気が通過する予冷運転の切り換え動作を所定時間にわたって行った後に、蒸発器になる吸着熱交換器（101,102）がある熱交換室（S11,S12）を処理側空気が通過する通常運転の切り換え動作が行われる。
【００１７】
第６の発明は、第１から第５の発明の何れか１つにおいて、上記吸着熱交換器（101,102）へ供給される処理側空気を予め冷却する冷却器（11）を備え、上記切換機構（200）は、予冷運転時に、上記冷却器（11）で冷却された空気を圧縮機（103）の起動時に凝縮器になる吸着熱交換器（101,102）の上流側に位置する吸着ブロック（301,302）へ送るように構成されていることを特徴としている。
【００１８】
この第６の発明では、予冷運転時に、上記冷却器（11）で冷却された空気が圧縮機（103）の起動時に凝縮器になる吸着熱交換器（101,102）の上流側に位置する吸着ブロック（301,302）へ送られるので、該吸着ブロック（301,302）が確実に冷却される。
【発明の効果】
【００１９】
本発明によれば、圧縮機（103）を起動する前に、次に圧縮機（103）を起動するときに凝縮器になる吸着熱交換器（101,102）に対して上流側に位置する吸着ブロック（301,302）を冷却することにより、凝縮器の温度上昇を抑えるようにしている。したがって、除湿装置（10）の設置場所の周囲温度に関わらず、圧縮機（103）の起動時に冷媒回路（100）の高圧圧力が過度に上昇するのを抑え、圧縮機（103）が停止するのを防止できる。
【００２０】
上記第２の発明によれば、予冷運転時に、上記処理側空気と再生側空気のうちで温度が低い空気を、上記圧縮機（103）の起動時に凝縮器になる吸着熱交換器（101,102）の上流側に位置する吸着ブロック（301,302）に流すことにより、その吸着ブロック（301,302）が確実に冷却されるので、圧縮機（103）が停止するのを確実に防止できる。
【００２１】
上記第３の発明によれば、予冷運転時に、上記処理側空気と再生側空気のうちで温度が低い処理側空気を、上記圧縮機（103）の起動時に凝縮器になる吸着熱交換器（101,102）の上流側に位置する吸着ブロック（301,302）に流すことにより、その吸着ブロック（301,302）を確実に冷却するようにしているので、圧縮機（103）が停止するのを確実に防止できる。
【００２２】
上記第４の発明によれば、通常運転の開始時に開くダンパ（D2,D3,D5,D8）を上記予冷運転時に閉じ、上記通常運転の開始時に閉じるダンパ（D1,D4,D6,D7）を上記予冷運転時に開くことにより、上記圧縮機（103）の起動時に凝縮器になる吸着熱交換器（101,102）の上流側に位置する吸着ブロック（301,302）を冷却することができ、ダンパ（D1〜D8）を切り換えるだけで予冷運転を行えるので、装置の構造が複雑化するのを防止できる。
【００２３】
上記第５の発明によれば、上記圧縮機（103）の起動時に凝縮器になる吸着熱交換器（101,102）がある熱交換室（S11,S12）を処理側空気が通過する予冷運転の切り換え動作を所定時間にわたって行った後に、蒸発器になる吸着熱交換器（101,102）がある熱交換室（S11,S12）を処理側空気が通過する通常運転の切り換え動作が行われる。そして、予冷運転中には、蒸発器になる吸着熱交換器（101,102）に再生側空気が流れるので、吸着熱交換器（101,102）が次に処理側になるときの処理能力を高められる。
【００２４】
上記第６の発明によれば、予冷運転時に、上記冷却器（11）で冷却された空気を圧縮機（103）の起動時に凝縮器になる吸着熱交換器（101,102）の上流側に位置する吸着ブロック（301,302）に流すことにより、該吸着ブロック（301,302）を確実に冷却するようにしているので、圧縮機（103）の起動時に冷媒回路（100）の高圧圧力が過度に上昇するのを確実に抑え、圧縮機（103）が停止するのを確実に防止できる。
【図面の簡単な説明】
【００２５】
【図１】図１は、実施形態に係る除湿システムの構成例について説明するための配管系統図である。
【図２】図２は、除湿装置の構造及び第１除湿動作における空気の流れについて説明するための概略図である。
【図３】図３は、除湿装置の構造及び第２除湿動作における空気の流れについて説明するための概略図である。
【図４】図４（Ａ）は、図１の除湿システムにおいて予冷運転の動作を開始するときの状態図、図４（Ｂ）は予冷運転の開始直後の状態図、図４（Ｃ）は予冷運転中に圧縮機を起動した状態図、図４（Ｄ）は予冷運転後に通常運転を開始するときの状態図である。
【発明を実施するための形態】
【００２６】
以下、本発明の実施形態を図面に基づいて詳細に説明する。
【００２７】
図１は、この実施形態に係る除湿システム（1）の構成例を示している。この除湿システム（1）は、空気（この例では、室外空気（OA））を除湿して調湿空間（S0）に供給するものである。この例では、調湿空間（S0）は、室内空間（S1）によって構成されている。室内空間（S1）は、露点温度が低い空気（例えば、露点温度が−３０℃〜−５０℃程度の空気）の供給を要求されている空間であり、例えば、リチウム電池の製造ラインに設けられるドライクリーンルームである。
【００２８】
この除湿システム（1）は、除湿装置（10）とコントローラ（20）と加熱器（21）とを備えている。また、除湿装置（10）には、給気通路（P1）と再生通路（P2）が設けられている。除湿装置（10）は、第１及び第２熱交換室（S11,S12）と、冷媒回路（100）と、切換機構（200）と、第１及び第２吸着ブロック（301,302）とを備えている。
【００２９】
〈給気通路〉
給気通路（P1）には、調湿空間（S0）に供給するための空気（この例では、室内空間（S1）に供給するための空気）が流れる。この例では、給気通路（P1）は、室外空間から室外空気（OA）を取り込んで供給空気（SA）を室内空間（S1）に供給するように構成されている。具体的には、給気通路（P1）は、流入端が室外空間に接続される第１給気通路部（P11）と、流出端が室内空間（S1）に接続される第２給気通路部（P12）とを有している。また、この例では、給気通路（P1）の第１給気通路部（P11）には冷却器（11）が設けられ、冷却器（11）の近傍にはドレンパン（12）が設けられている。
【００３０】
〈再生通路〉
再生通路（P2）には、吸着剤を再生するための空気が流れる。この例では、再生通路（P2）は、室内空間（S1）から室内空気（RA）を取り込んで排出空気（EA）を室外空間に排出するように構成されている。具体的には、再生通路（P2）は、流入端が室内空間（S1）に接続される第１再生通路部（P21）と、流出端が室外空間に接続される第２再生通路部（P22）とを有している。なお、この例では、室内空間（S1）の空気の一部は、再生通路（P2）を経由せずに排出空気（EA）として室外空間に排出される。
【００３１】
〈熱交換室〉
第１及び第２熱交換室（S11,S12）は、一方の熱交換室を給気通路（P1）の一部として給気通路（P1）に組み込むとともに他方の熱交換室を再生通路（P2）の一部として再生通路（P2）に組み込むことができるように構成されている。具体的には、第１及び第２熱交換室（S11,S12）の各々は、第１給気通路部（P11）の流出端と第２給気通路部（P12）の流入端との間に接続されることによって給気通路（P1）に組み込まれて空気（すなわち、調湿空間（S0）に供給するための空気（処理側空気））が流通し、第１再生通路部（P21）の流出端と第２再生通路部（P22）の流入端との間に接続されることによって再生通路（P2）に組み込まれて空気（すなわち、吸着剤を再生するための空気（再生側空気））が流通する。なお、以下の説明では、第１及び第２熱交換室（S11,S12）の総称を単に「熱交換室（S11,S12）」と表記する。
【００３２】
〈冷却器，ドレンパン〉
冷却器（11）は、室外空気（OA）を冷却して除湿する。例えば、冷却器（11）は、冷媒回路（図示を省略）の蒸発器として機能する熱交換器（具体的には、フィンアンドチューブ式の熱交換器）によって構成されていてもよい。ドレンパン（12）は、冷却器（11）において凝縮された水を回収する。例えば、ドレンパン（12）は、冷却器（11）において凝縮された水を受け止めることができるように、上面が開口する容器によって構成されて冷却器（11）の下方に配置されている。この例では、冷却器（11）は、給気通路（P1）の第１給気通路部（P11）に設けられている。
【００３３】
〈冷媒回路〉
冷媒回路（100）は、冷媒を循環させて冷凍サイクル動作を実行するものであり、第１及び第２吸着熱交換器（101,102）と、圧縮機（103）と、膨張弁（104）と、四方切換弁（105）とを備えている。
【００３４】
《吸着熱交換器》
第１及び第２吸着熱交換器（101,102）の各々は、熱交換器（例えば、クロスフィン型のフィンアンドチューブ式の熱交換器）の表面に吸着剤を担持させることによって構成されている。また、第１及び第２吸着熱交換器（101,102）は、第１及び第２熱交換室（S11,S12）にそれぞれ設けられている。なお、吸着剤として、ゼオライト，シリカゲル，活性炭，親水性の官能基を有する有機高分子材料を用いてもよいし、水分を吸着する機能だけではなく水分を吸収する機能も有する材料（所謂、収着剤）を用いてもよい。なお、以下の説明では、第１及び第２吸着熱交換器（101,102）の総称を単に「吸着熱交換器（101,102）」と表記する。
【００３５】
《圧縮機》
圧縮機（103）は、冷媒を圧縮して吐出する。また、圧縮機（103）は、コントローラ（20）の制御によって回転数（運転周波数）を変更可能に構成されている。例えば、圧縮機（103）は、インバータ回路（図示を省略）により回転数を調節可能な可変容量式の圧縮機（ロータリー式，スイング式，スクロール式などの圧縮機）によって構成されている。
【００３６】
《膨張弁》
膨張弁（104）は、冷媒の圧力を調整する。例えば、膨張弁（104）は、コントローラ（20）による制御に応答して開度を変更可能な電子膨張弁によって構成されている。
【００３７】
《四方切換弁》
四方切換弁（105）は、第１〜第４ポートを有し、第１ポートは、圧縮機（103）の吐出側に接続され、第２ポートは、圧縮機（103）の吸入側に接続され、第３ポートは、第２吸着熱交換器（102）の端部に接続され、第４ポートは、第１吸着熱交換器（101）の端部に接続されている。四方切換弁（105）は、コントローラ（20）による制御に応答して、第１接続状態（図１の実線で示された状態）と、第２接続状態（図１の破線で示された状態）とに切り換え可能に構成されている。
【００３８】
《冷媒回路による冷凍サイクル動作》
四方切換弁（105）が第１接続状態になっている場合、冷媒回路（100）は、第１吸着熱交換器（101）が蒸発器となって空気を除湿し第２吸着熱交換器（102）が凝縮器となって空気を加湿する（すなわち、吸着剤を再生させる）第１冷凍サイクル動作（第１動作）を実行する。一方、四方切換弁（105）が第２接続状態になっている場合、冷媒回路（100）は、第２吸着熱交換器（102）が蒸発器となって空気を除湿し第１吸着熱交換器（101）が凝縮器となって空気を加湿する（すなわち、吸着剤を再生させる）第２冷凍サイクル動作（第２動作）を実行する。このように、冷媒回路（100）は、コントローラ（20）による制御に応答して、第１及び第２冷凍サイクル動作を実行可能に構成されている。具体的には、冷媒回路（100）は、第１及び第２冷凍サイクル動作を交互に行うように構成されている。
【００３９】
−第１冷凍サイクル動作（第１動作）−
四方切換弁（105）が第１接続状態になると、第１ポートと第３ポートとが連通するとともに第２ポートと第４ポートとが連通する。これにより、圧縮機（103）によって圧縮された冷媒は、四方切換弁（105）を通過して第２吸着熱交換器（102）に流れ込む。第２吸着熱交換器（102）では、冷媒によって吸着剤が加熱され、吸着剤中の水分が空気へ放出される再生動作が行われる。第２吸着熱交換器（102）において放熱して凝縮した冷媒は、膨張弁（104）によって減圧された後、第１吸着熱交換器（101）に流れ込む。第１吸着熱交換器（101）では、空気中の水分が吸着剤に吸着される吸着動作が行われ、その際に生じる吸着熱が冷媒に付与される。第１吸着熱交換器（101）において吸熱して蒸発した冷媒は、圧縮機（103）に吸入されて圧縮される。
【００４０】
−第２冷凍サイクル動作（第２動作）−
四方切換弁（105）が第２接続状態になると、第１ポートと第４ポートとが連通するとともに第２ポートと第３ポートとが連通する。これにより、圧縮機（103）によって圧縮された冷媒は、四方切換弁（105）を通過して第１吸着熱交換器（101）に流れ込む。第１吸着熱交換器（101）では、冷媒によって吸着剤が加熱され、吸着剤中の水分が空気へ放出される再生動作が行われる。第１吸着熱交換器（101）において放熱して凝縮した冷媒は、膨張弁（104）によって減圧された後、第２吸着熱交換器（102）に流れ込む。第２吸着熱交換器（102）では、空気中の水分が吸着剤に吸着される吸着動作が行われ、その際に生じる吸着熱が冷媒に付与される。第２吸着熱交換器（102）において吸熱して蒸発した冷媒は、圧縮機（103）に吸入されて圧縮される。
【００４１】
〈加熱器〉
加熱器（21）は、再生通路（P2）に設けられ、第１及び第２熱交換室（S11,S12）のうち凝縮器となっている吸着熱交換器が設けられた熱交換室の上流側（風上側）に配置されている。すなわち、加熱器（21）は、吸着剤を再生するための空気を加熱するように構成されている。この例では、加熱器（21）は、第１再生通路部（P21）に配置されている。例えば、加熱器（21）は、第１再生通路部（P21）を流れる空気と第２再生通路部（P22）を流れる空気との間で熱交換を行う顕熱熱交換器によって構成されていてもよいし、冷媒回路（図示を省略）の凝縮器として機能する熱交換器（具体的には、フィンアンドチューブ式の熱交換器）などによって構成されていてもよい。
【００４２】
〈切換機構〉
切換機構（200）は、コントローラ（20）による制御に応答して、第１及び第２熱交換室（S11,S12）の接続状態を、第１通路状態（図１の実線で示した状態）と第２通路状態（図１の破線で示した状態）とに設定可能に構成されている。また、切換機構（200）は、四方切換弁（105）が第１接続状態（図１の実線で示した状態）である場合に、第１及び第２熱交換室（S11,S12）の接続状態を第１通路状態に設定し、四方切換弁（105）が第２接続状態である場合（図１の破線で示した状態）に、第１及び第２熱交換室（S11,S12）の接続状態を第２通路状態に設定する。すなわち、切換機構（200）は、第１及び第２熱交換室（S11,S12）のうち、蒸発器となっている吸着熱交換器（101,102）が設けられた熱交換室（S11,S12）を通過した空気が調湿空間（S0）に供給され、凝縮器となっている吸着熱交換器（102,101）が設けられた熱交換室（S12,S11）に吸着剤を再生するための空気（この例では、加熱器（21）を通過した空気）が流通するように、空気の流れを切り換える。
【００４３】
なお、この例では、第１及び第２熱交換室（S11,S12）の接続状態が第１通路状態である場合（すなわち、第１熱交換室（S11）が給気通路（P1）の一部として組み込まれている場合）に第１吸着熱交換器（101）を通過する空気の流通方向は、第１及び第２熱交換室（S11,S12）の接続状態が第２通路状態である場合（すなわち、第１熱交換室（S11）が再生通路（P2）の一部として組み込まれている場合）に第１吸着熱交換器（101）を通過する空気の流通方向の逆方向となっている（所謂、対向流となっている）。第２吸着熱交換器（102）を通過する空気の流通方向についても同様である。このように、第１及び第２吸着熱交換器（101,102）の各々を通過する空気の流通方向は、吸着熱交換器が蒸発器から凝縮器に（または、凝縮器から蒸発器に）切り換わると反転する。すなわち、切換機構（200）は、第１及び第２吸着熱交換器（101,102）の各々を通過する空気の流通方向が、その吸着熱交換器（101,102）が蒸発器となっている場合とその吸着熱交換器（101,102）が凝縮器となっている場合とで逆方向となるように、空気の流れを切り換える。
【００４４】
〈吸着ブロック〉
第１及び第２吸着ブロック（301,302）の各々は、吸着剤が担持されて空気を吸着剤と接触させるように構成されている。例えば、第１及び第２吸着ブロック（301,302）の各々は、構造体（具体的には、ハニカム構造を有する通気性のある構造体）の表面に吸着剤を担持させることによって構成されている。また、第１及び第２吸着ブロック（301,302）は、第１及び第２熱交換室（S11,S12）にそれぞれ設けられる。なお、以下の説明では、第１及び第２吸着ブロック（301,302）の総称を単に「吸着ブロック（301,302）」と表記する。
【００４５】
第１吸着ブロック（301）は、第１熱交換室（S11）において、第１吸着熱交換器（101）が蒸発器となっている場合に第１吸着熱交換器（101）の下流側（風下側）となる位置（すなわち、第１熱交換室（S11）が給気通路（P1）の一部として組み込まれている場合に第１吸着熱交換器（101）によって除湿された空気が通過する位置）に配置されている。
【００４６】
第２吸着ブロック（302）は、第２熱交換室（S12）において、第２吸着熱交換器（102）が蒸発器となっている場合に第２吸着熱交換器（102）の下流側（風下側）となる位置（すなわち、第２熱交換室（S12）が給気通路（P1）の一部として組み込まれている場合に第２吸着熱交換器（102）によって除湿された空気が通過する位置）に配置されている。
【００４７】
なお、この例では、第１及び第２吸着熱交換器（101,102）の各々を通過する空気の流通方向は、その吸着熱交換器（101,102）が蒸発器となっている場合とその吸着熱交換器（101,102）が凝縮器となっている場合とで逆方向となっている。したがって、第１及び第２熱交換室（S11,S12）の接続状態が第１通路状態（図１の実線で示した状態）である場合に第１吸着熱交換器（101）の下流側となる位置は、第１及び第２熱交換室（S11,S12）の接続状態が第２通路状態（図１の破線で示した状態）である場合に第１吸着熱交換器（101）の上流側となる位置（この例では、加熱器（21）と第１吸着熱交換器（101）との間となる位置）と同じ位置である。これと同様に、第１及び第２熱交換室（S11,S12）の接続状態が第２通路状態（図１の破線で示した状態）である場合に第２吸着熱交換器（102）の下流側となる位置は、第１及び第２熱交換室（S11,S12）の接続状態が第１通路状態（図１の実線で示した状態）である場合に第２吸着熱交換器（102）の上流側となる位置（この例では、加熱器（21）と第２吸着熱交換器（102）との間となる位置）と同じ位置である。すなわち、第１及び第２熱交換室（S11,S12）の各々では、吸着ブロック（301,302）は、吸着熱交換器（101,102）が蒸発器となっている場合には、吸着熱交換器（101,102）の下流側に位置し、吸着熱交換器（101,102）が凝縮器となっている場合には、吸着熱交換器（101,102）の上流側に位置する。
【００４８】
〈コントローラ〉
コントローラ（20）は、各種センサ（例えば、温度センサや湿度センサなど）の検出値に基づいて、除湿装置（10）を制御する。例えば、コントローラ（20）は、ＣＰＵやメモリによって構成されている。
【００４９】
また、本実施形態では、上記コントローラ（20）は、上記冷媒回路（100）の圧縮機（103）を起動する前に、上記切換機構（200）を切り換えることにより、凝縮器となる吸着熱交換器（101,102）の上流側の位置に設けられている吸着ブロック（301,302）に冷却用の空気を流して該吸着ブロック（301,302）を予冷する予冷運転を行うように構成されている。
【００５０】
この予冷運転時には、上記処理側空気と再生側空気のうち、上記冷却器（11）を通過することにより冷却されて温度が低くなった処理側空気を、上記圧縮機（103）の起動時に凝縮器になる吸着熱交換器（101,102）の上流側に位置する吸着ブロック（301,302）に流すように上記切換機構（200）が切り換えられる。
【００５１】
また、本実施形態では、本実施形態によれば、通常運転の開始時に開く後述のダンパ（D2,D3,D5,D8）を予冷運転時に閉じ、通常運転の開始時に閉じる後述のダンパ（D1,D4,D6,D7）を予冷運転時に開くことにより、予冷運転を行うようにしている。予冷運転の動作の詳細は後述する。
【００５２】
〈除湿装置による除湿運転〉
次に、図１を参照して、この実施形態の除湿装置（10）の除湿運転について説明する。この除湿装置（10）は、第１及び第２除湿動作を所定の時間間隔（例えば、１０分間隔）で交互に繰り返す。
【００５３】
《第１除湿動作》
第１除湿動作では、圧縮機（103）が駆動され、膨張弁（104）の開度が調節され、四方切換弁（105）が第１接続状態（図１の実線で示した状態）となる。これにより、冷媒回路（100）は、第１吸着熱交換器（101）が蒸発器となり第２吸着熱交換器（102）が凝縮器となる第１冷凍サイクル動作を行う。また、切換機構（200）は、第１及び第２熱交換室（S11,S12）の接続状態を第１通路状態（図１の実線で示した状態）に設定する。
【００５４】
−給気通路における空気の流れ−
給気通路（P1）に取り込まれた空気（この例では、室外空気（OA））は、冷却器（11）によって冷却除湿された後に、第１熱交換室（S11）に供給される。第１熱交換室（S11）に供給された空気は、蒸発器として機能している第１吸着熱交換器（101）を通過する。このとき、蒸発器として機能している第１吸着熱交換器（101）を通過する空気は、第１吸着熱交換器（101）の吸着剤に水分を奪われて湿度が低下するとともに、第１吸着熱交換器（101）を流れる冷媒の吸熱作用により冷却されて温度も低下する。次に、第１吸着熱交換器（101）によって除湿及び冷却された空気は、第１吸着ブロック（301）を通過する。このとき、この空気中の水分が第１吸着ブロック（301）の吸着剤に吸着する。これにより、第１吸着熱交換器（101）によって除湿された空気は、第１吸着ブロック（301）によってさらに除湿される。第１吸着熱交換器（101）及び第１吸着ブロック（301）を通過して除湿された空気は、供給空気（SA）として室内空間（S1）に供給される。
【００５５】
−再生通路における空気の流れ−
再生通路（P2）に取り込まれた空気（この例では、室内空気（RA））は、加熱器（21）によって加熱された後に、第２熱交換室（S12）に供給される。第２熱交換室（S12）に供給された空気は、第２吸着ブロック（302）を通過する。このとき、第２吸着ブロック（302）の吸着剤の水分が第２吸着ブロック（302）を通過する空気に放出される。これにより、第２吸着ブロック（302）の吸着剤が再生される。次に、第２吸着ブロック（302）によって加湿された空気は、凝縮器として機能している第２吸着熱交換器（102）を通過する。凝縮器として機能している第２吸着熱交換器（102）を通過する空気は、第２吸着熱交換器（102）の吸着剤から水分を付与されて湿度が上昇するとともに、第２吸着熱交換器（102）を流れる冷媒の放熱作用により加熱されて温度も上昇する。これにより、第２吸着熱交換器（102）の吸着剤が再生される。第２吸着熱交換器（102）及び第２吸着ブロック（302）を通過した空気は、排出空気（EA）として室外空間に排出される。
【００５６】
《第２除湿動作》
第２除湿動作では、圧縮機（103）が駆動され、膨張弁（104）の開度が調節され、四方切換弁（105）が第２接続状態（図１の破線で示した状態）となる。これにより、冷媒回路（100）は、第１吸着熱交換器（101）が凝縮器となり第２吸着熱交換器（102）が蒸発器となる第２冷凍サイクル動作を行う。また、切換機構（200）は、第１及び第２熱交換室（S11,S12）の接続状態を第２通路状態（図１の破線で示した状態）に設定する。
【００５７】
−給気通路における空気の流れ−
給気通路（P1）に取り込まれた空気（この例では、室外空気（OA））は、冷却器（11）によって冷却除湿された後に、第２熱交換室（S12）に供給される。第２熱交換室（S12）に供給された空気は、蒸発器として機能している第２吸着熱交換器（102）を通過する。このとき、蒸発器として機能している第２吸着熱交換器（102）を通過する空気は、第２吸着熱交換器（102）の吸着剤に水分を奪われて湿度が低下するとともに、第２吸着熱交換器（102）を流れる冷媒の吸熱作用により冷却されて温度も低下する。次に、第２吸着熱交換器（102）によって除湿及び冷却された空気は、第２吸着ブロック（302）を通過する。このとき、この空気中の水分が第２吸着ブロック（302）の吸着剤に吸着する。これにより、第２吸着熱交換器（102）によって除湿された空気は、第２吸着ブロック（302）によってさらに除湿される。第２吸着熱交換器（102）及び第２吸着ブロック（302）を通過して除湿された空気は、供給空気（SA）として室内空間（S1）に供給される。
【００５８】
−再生通路における空気の流れ−
再生通路（P2）に取り込まれた空気（この例では、室内空気（RA））は、加熱器（21）によって加熱された後に、第１熱交換室（S11）に供給される。第１熱交換室（S11）に供給された空気は、第１吸着ブロック（301）を通過する。このとき、第１吸着ブロック（301）の吸着剤の水分が第１吸着ブロック（301）を通過する空気に放出される。これにより、第１吸着ブロック（301）の吸着剤が再生される。次に、第１吸着ブロック（301）によって加湿された空気は、凝縮器として機能している第１吸着熱交換器（101）を通過する。このとき、凝縮器として機能している第１吸着熱交換器（101）を通過する空気は、第１吸着熱交換器（101）の吸着剤から水分を付与されて湿度が上昇するとともに、第１吸着熱交換器（101）を流れる冷媒の放熱作用により加熱されて温度も上昇する。これにより、第１吸着熱交換器（101）の吸着剤が再生される。第１吸着熱交換器（101）及び第１吸着ブロック（301）を通過した空気は、排出空気（EA）として室外空間に排出される。
【００５９】
〈除湿装置の構造〉
次に、図２を参照して、この実施形態による除湿装置（10）の構造について説明する。なお、以下の説明において用いる「上」「下」「左」「右」「前」「後」「奥」は、除湿装置（10）を前面側から見た場合の方向を示している。また、図２において、中央図は、除湿装置（10）の平面図であり、上図は、除湿装置（10）の背面図であり、下図は、除湿装置（10）の正面図である。
【００６０】
除湿装置（10）は、冷媒回路（100）の構成部品を収容するケーシング（41）を備えている。ケーシング（41）は、やや扁平で高さが比較的低い直方体状に形成され、前面パネル（42）と背面パネル（43）と左側面パネル（44）と右側面パネル（45）とを有している。この例では、ケーシング（41）の長手方向が左右方向となっている。
【００６１】
ケーシング（41）には、吸着側吸込口（51）と、再生側吸込口（52）と、給気口（53）と、排気口（54）とが形成されている。吸着側吸込口（51）は、背面パネル（43）の右寄りの位置に設けられ、再生側吸込口（52）は、背面パネル（43）の左寄りの位置に設けられる。給気口（53）は、前面パネル（42）の左寄りの位置に設けられ、排気口（54）は、前面パネル（42）の右寄りの位置に設けられる。
【００６２】
また、ケーシング（41）の内部空間は、第１仕切板（46）と第２仕切板（47）と中央仕切板（48）とが設けられている。これらの仕切板（46,47,48）は、ケーシング（41）の底板に起立した状態で設置され、ケーシング（41）の内部空間をケーシング（41）の底板から天板に亘って区画している。第１及び第２仕切板（46,47）は、左側面パネル（44）及び右側面パネル（45）と平行な姿勢で、ケーシング（41）の左右方向に所定の間隔をおいて配置されている。第１仕切板（46）は、左側面パネル（44）寄りに配置され、第２仕切板（47）は、右側面パネル（45）寄りに配置されている。そして、第１仕切板（46）の左側の空間が左側空間（S31）となり、第１仕切板（46）と第２仕切板（47）の間の空間が中央空間（S32）となり、第２仕切板（47）の右側の空間が右側空間（S33）となっている。なお、中央仕切板（48）の配置については、後述する。
【００６３】
左側空間（S31）は、左側面パネル（44）側の部分と第１仕切板（46）側の部分とに区画されている。左側空間（S31）内におけるケーシング（41）の左面側の空間は、前後２つの空間に仕切られており、前側の空間が給気ファン室（S25）を構成し、奥側の空間が再生側吸込室（S28）を構成している。左側空間（S31）内における第１仕切板（46）側の空間は、上下２つの空間に仕切られており、上側の空間が第２吸着側内部通路（S23）を構成し、下側の空間が第１再生側内部通路（S22）をそれぞれ構成している。
【００６４】
給気ファン室（S25）は、給気口（53）に接続されるダクト（図１の第２給気通路部（P12）に対応）を介して室内空間（S1）と連通している。また、給気ファン室（S25）には、給気ファン（61）が収容されている。給気ファン（61）の吹出口は、給気口（53）に接続されている。また、給気ファン室（S25）には、冷媒回路（100）の圧縮機（103）及び四方切換弁（105）（図示を省略）が収容されている。一方、再生側吸込室（S28）は、再生側吸込口（52）に接続されるダクト（図１の第１再生通路部（P21）に対応）を介して室内空間（S1）と連通している。
【００６５】
第２吸着側内部通路（S23）は、再生側吸込室（S28）とは前後に延びる仕切板で仕切られる一方、給気ファン室（S25）と連通している。第１再生側内部通路（S22）は、再生側吸込室（S28）と連通している。
【００６６】
右側空間（S33）は、ケーシング（41）の右面側の部分と第２仕切板（47）側の部分とに区画されている。右側空間（S33）内におけるケーシング（41）の右面側の空間は、前側の空間が排気ファン室（S26）を構成している。一方、奥側の空間は、上下に仕切られており、下側の空間が排気ファン室（S26）から仕切られた吸着側吸込室（S27）を構成し、上側の空間が排気ファン室（S26）と連通している。右側空間（S33）内における第２仕切板（47）側の空間は、上下２つの空間に仕切られており、上側の空間が第２再生側内部通路（S24）を構成し、下側の空間が第１吸着側内部通路（S21）を構成している。
【００６７】
排気ファン室（S26）は、排気口（54）に接続されるダクト（図１の第２再生通路部（P22）に対応）を介して室外空間と連通している。また、排気ファン室（S26）には、排気ファン（62）が収容されている。排気ファン（62）の吹出口は、排気口（54）に接続されている。吸着側吸込室（S27）は、吸着側吸込口（51）に接続されるダクト（図１の第１給気通路部（P11）に対応）を介して室外空間と連通している。
【００６８】
第２再生側内部通路（S24）は、排気ファン室（S26）と連通している。第１吸着側内部通路（S21）は、吸着側吸込室（S27）と連通している。
【００６９】
中央空間（S32）は、中央仕切板（48）によって前後に区画されており、中央仕切板（48）の後側の空間が第１熱交換室（S11）を構成し、中央仕切板（48）の前側の空間が第２熱交換室（S12）を構成している。第１熱交換室（S11）には、第１吸着熱交換器（101）が収容され、第２熱交換室（S12）には、第２吸着熱交換器（102）が収容されている。また、第２熱交換室（S12）には、冷媒回路（100）の膨張弁（104）（図示を省略）が収容されている。
【００７０】
第１及び第２吸着熱交換器（101,102）の各々は、全体として長方形の厚板状あるいは扁平な直方体状に形成され、互いに対向する２つの主面（幅広の側面）が空気を通過させる面となっている。そして、第１吸着熱交換器（101）は、その２つの主面が第１及び第２仕切板（46,47）と平行になる姿勢で、第１熱交換室（S11）内に起立した状態で設置されている。これと同様に、第２吸着熱交換器（102）は、その２つの主面が第１及び第２仕切板（46,47）と平行になる姿勢で、第２熱交換室（S12）内に起立した状態で設置されている。
【００７１】
第１及び第２吸着ブロック（301,302）の各々は、全体として長方形の厚板状あるいは扁平な直方体状に形成され、互いに対向する２つの主面（幅広の側面）が空気を通過させる面となっている。例えば、第１及び第２吸着ブロック（301,302）の各々は、その一方の主面から他方の主面まで貫通する多数の孔を有するハニカム状の構造体である。また、第１吸着ブロック（301）は、その２つの主面が第１及び第２仕切板（46,47）と平行になる姿勢で、第１熱交換室（S11）内に起立した状態で設置されている。これと同様に、第２吸着ブロック（302）は、その２つの主面が第１及び第２仕切板（46,47）と平行になる姿勢で、第２熱交換室（S12）内に起立した状態で設置されている。また、この例では、第１吸着ブロック（301）は、第１熱交換室（S11）において第１吸着熱交換器（101）と第１仕切板（46）との間に配置され、第２吸着ブロック（302）は、第２熱交換室（S12）において第２吸着熱交換器（102）と第１仕切板（46）との間に配置されている。なお、第１吸着ブロック（301）は、左右方向において第１吸着熱交換器（101）と間隔をおいて配置され、第２吸着ブロック（302）は、左右方向において第２吸着熱交換器（102）と間隔をおいて配置されている。
【００７２】
第１仕切板（46）には、第１〜第４ダンパ（D1〜D4）が設けられ、第２仕切板（47）には、第５〜第８ダンパ（D5〜D8）が設けられている。第１〜第８ダンパ（D1〜D8）の各々は、コントローラ（20）による制御に応答して開状態と閉状態とを切換可能に構成されている。これらの第１〜第８ダンパ（D1〜D8）は、切換機構（200）を構成している。
【００７３】
第１ダンパ（D1）は、第１仕切板（46）の上側部分（第２吸着側内部通路（S23）に面する部分）において中央仕切板（48）よりも正面側に取り付けられ、第２ダンパ（D2）は、第１仕切板（46）の上側部分において中央仕切板（48）よりも背面側に取り付けられる。第３ダンパ（D3）は、第１仕切板（46）の下側部分（第１再生側内部通路（S22）に面する部分）において中央仕切板（48）よりも正面側に取り付けられ、第４ダンパ（D4）は、第１仕切板（46）の下側部分において中央仕切板（48）よりも背面側に取り付けられる。
【００７４】
第１ダンパ（D1）を開くと、第２吸着側内部通路（S23）と第２熱交換室（S12）が連通する。第２ダンパ（D2）を開くと、第２吸着側内部通路（S23）と第１熱交換室（S11）が連通する。第３ダンパ（D3）を開くと、第１再生側内部通路（S22）と第２熱交換室（S12）が連通する。第４ダンパ（D4）を開くと、第１再生側内部通路（S22）と第１熱交換室（S11）が連通する。
【００７５】
第５ダンパ（D5）は、第２仕切板（47）の上側部分（第２再生側内部通路（S24）に面する部分）において中央仕切板（48）よりも正面側に取り付けられ、第６ダンパ（D6）は、第２仕切板（47）の上側部分において中央仕切板（48）よりも背面側に取り付けられる。第７ダンパ（D7）は、第２仕切板（47）の下側部分（第１吸着側内部通路（S21）に面する部分）において中央仕切板（48）よりも正面側に取り付けられ、第８ダンパ（D8）は、第２仕切板（47）の下側部分において中央仕切板（48）よりも背面側に取り付けられる。
【００７６】
第５ダンパ（D5）を開くと、第２再生側内部通路（S24）と第２熱交換室（S12）が連通する。第６ダンパ（D6）を開くと、第２再生側内部通路（S24）と第１熱交換室（S11）が連通する。第７ダンパ（D7）を開くと、第１吸着側内部通路（S21）と第２熱交換室（S12）が連通する。第８ダンパ（D8）を開くと、第１吸着側内部通路（S21）と第１熱交換室（S11）が連通する。
【００７７】
《第１除湿動作における空気の流れ》
次に、図２を参照して、この実施形態の除湿装置（10）による第１除湿動作における空気の流れについて説明する。第１除湿動作では、第１吸着熱交換器（101）が蒸発器となり、第２吸着熱交換器（102）が凝縮器となる。また、図２のように、第２，第３，第５，第８ダンパ（D2,D3,D5,D8）が開状態となり、第１，第４，第６，第７ダンパ（D1,D4,D6,D7）が閉状態となる。これにより、第１及び第２熱交換室（S11,S12）の接続状態が第１通路状態（図１の実線で示した状態）に設定され、第１熱交換室（S11）が給気通路（P1）に組み込まれ、第２熱交換室（S12）が再生通路（P2）に組み込まれる。図１においては、実線の空気の流れを示す矢印に付与した符号（D2,D3,D5,D8）が開状態のダンパを示し、破線の空気の流れを示す矢印に付与した符号（D1,D4,D6,D7）が閉状態のダンパを示している。
【００７８】
−給気通路における空気の流れ−
吸着側吸込口（51）及び吸着側吸込室（S27）を経由して第１吸着側内部通路（S21）に供給された空気（この例では、室外空気（OA））は、第８ダンパ（D8）を通過して第１熱交換室（S11）に供給される。
【００７９】
第１熱交換室（S11）に供給された空気は、第１吸着熱交換器（101）と第１吸着ブロック（301）とを順に通過する際に、第１吸着熱交換器（101）及び第１吸着ブロック（301）の吸着剤に水分を奪われて除湿される。
【００８０】
第１吸着熱交換器（101）及び第１吸着ブロック（301）を通過して除湿された空気は、第２ダンパ（D2）を通過して第２吸着側内部通路（S23）に流れ込み、給気ファン室（S25）及び給気口（53）を通過して供給空気（SA）として室内空間（S1）に供給される。
【００８１】
−再生通路における空気の流れ−
再生側吸込口（52）及び再生側吸込室（S28）を経由して第１再生側内部通路（S22）に供給された空気（この例では、室内空気（RA））は、第３ダンパ（D3）を通過して第２熱交換室（S12）に供給される。
【００８２】
第２熱交換室（S12）に供給された空気は、第２吸着ブロック（302）と第２吸着熱交換器（102）とを順に通過する際に、第２吸着ブロック（302）及び第２吸着熱交換器（102）の吸着剤から水分を付与される。これにより、第２吸着熱交換器（102）及び第２吸着ブロック（302）の吸着剤が再生される。
【００８３】
第２吸着ブロック（302）及び第２吸着熱交換器（102）を通過した空気は、第５ダンパ（D5）を通過して第２再生側内部通路（S24）に流れ込み、排気ファン室（S26）及び排気口（54）を通過して室外空間に排出される。
【００８４】
《第２除湿動作における空気の流れ》
次に、図３を参照して、この実施形態の除湿装置（10）による第２除湿動作における空気の流れについて説明する。第２除湿動作では、第１吸着熱交換器（101）が凝縮器となり、第２吸着熱交換器（102）が蒸発器となる。また、図３のように、第１，第４，第６，第７ダンパ（D1,D4,D6,D7）が開状態となり、第２，第３，第５，第８ダンパ（D2,D3,D5,D8）が閉状態となる。これにより、第１及び第２熱交換室（S11,S12）の接続状態が第２通路状態（図１の破線で示した状態）に設定され、第１熱交換室（S11）が再生通路（P2）に組み込まれ、第２熱交換室（S12）が給気通路（P1）に組み込まれる。図１においては、破線の空気の流れを示す矢印に付与した符号（D1,D4,D6,D7）が開状態のダンパを示し、実線の空気の流れを示す矢印に付与した符号（D2,D3,D5,D8）が閉状態のダンパを示している。
【００８５】
−給気通路における空気の流れ−
吸着側吸込口（51）及び吸着側吸込室（S27）を経由して第１吸着側内部通路（S21）に供給された空気（この例では、室外空気（OA））は、第７ダンパ（D7）を通過して第２熱交換室（S12）に供給される。
【００８６】
第２熱交換室（S12）に供給された空気は、第２吸着熱交換器（102）と第２吸着ブロック（302）とを順に通過する際に、第２吸着熱交換器（102）及び第２吸着ブロック（302）の吸着剤に水分を奪われて除湿される。
【００８７】
第２吸着熱交換器（102）及び第２吸着ブロック（302）を通過して除湿された空気は、第１ダンパ（D1）を通過して第２吸着側内部通路（S23）に流れ込み、給気ファン室（S25）及び給気口（53）を通過して供給空気（SA）として室内空間（S1）に供給される。
【００８８】
−再生通路における空気の流れ−
再生側吸込口（52）及び再生側吸込室（S28）を経由して第１再生側内部通路（S22）に供給された空気（この例では、室内空気（RA））は、第４ダンパ（D4）を通過して第１熱交換室（S11）に供給される。
【００８９】
第１熱交換室（S11）に供給された空気は、第１吸着ブロック（301）と第１吸着熱交換器（101）とを順に通過する際に、第１吸着ブロック（301）及び第１吸着熱交換器（101）の吸着剤から水分を付与される。これにより、第１吸着熱交換器（101）及び第１吸着ブロック（301）の吸着剤が再生される。
【００９０】
第１吸着ブロック（301）及び第１吸着熱交換器（101）を通過した空気は、第６ダンパ（D6）を通過して第２再生側内部通路（S24）に流れ込み、排気ファン室（S26）及び排気口（54）を通過して室外空間に排出される。
【００９１】
〈除湿装置の起動前の予冷運転〉
除湿装置（10）の起動前（圧縮機（103）を起動する前）には、図４（Ａ）〜図４（Ｄ）に示す動作が行われる。具体的には、この図４（Ａ）〜図４（Ｄ）に示す動作により、圧縮機を起動する次の運転時に凝縮器となる吸着熱交換器（102）の上流側の位置に設けられている吸着ブロック（302）に冷却用の空気を流して該吸着ブロック（302）を予冷する予冷運転を行う。除湿装置（10）の周囲温度が高温（例えば４０℃〜５０℃）になっていると、停止中に吸着ブロック（301,302）が高温になっていることがあり、そのまま運転を開始すると、凝縮器となる吸着熱交換器（102）に高温の空気が流入するために冷媒回路の凝縮温度が高くなりすぎて、圧縮機（103）が停止するおそれがあるのに対して、そのような問題が起こらないようにするためである。
【００９２】
除湿装置（10）の運転を前回停止したときに、第２吸着熱交換器（102）が凝縮器（ドットを付して表示）で第１吸着熱交換器（101）が蒸発器（ハッチングを付して表示）であったとする（図４（Ｄ）参照）と、次に運転を開始するときも、第２吸着熱交換器（102）が凝縮器で第１吸着熱交換器（101）が蒸発器となる。
【００９３】
そのため、図４の例では、次の起動時には、まず図４（Ｄ）の第１除湿動作が行われることになる。この場合の予冷運転を開始する図４（Ａ）の状態では、第１除湿動作で閉じられる第１，第４，第６，第７ダンパ（D1,D4,D6,D7）が開かれ、第１除湿動作で開かれる第２，第３，第５，第８ダンパ（D2,D3,D5,D8）が閉じられる。つまり、各ダンパの開閉状態は第２除湿動作と同じになる。このとき、給気ファン（61）と排気ファン（62）は停止しており、空気は流れていない。
【００９４】
次に、各ダンパを図４（Ａ）の状態に設定した直後、あるいはその数秒後に、給気ファン（61）と排気ファン（62）が起動される。このとき、図４（Ｂ）に実線で示すように、この図４（Ｂ）には示していない冷却器（11）を通った室外空気（OA）が第２熱交換室（S12）の第２吸着熱交換器（102）と第２吸着ブロック（302）を通って室内へ流入し、室内空気（RA）は第１熱交換室（S11）の第１吸着ブロック（301）と第１吸着熱交換器（101）を通過し、室外へ流出する。この動作が行われている間は、第２吸着ブロック（302）が室外空気（OA）で冷却される。
【００９５】
その後、所定時間（本実施形態では約３分）が経過すると、圧縮機（103）が起動される。このときの状態を図４（Ｃ）に示している。冷媒回路（100）では、第２吸着熱交換器（102）が凝縮器（ドットを付して表示）となり、第１吸着熱交換器（101）が蒸発器（ハッチングを付して表示）となる第１冷凍サイクル動作が行われる。そして、この動作を約３分間行った後、図４（Ｄ）の通常運転の動作が開始される。図４（Ｃ）の動作を３分間行っているのは、圧縮機（103）の起動後に圧力が過度に上昇しないことを確認するためである。また、この図４（Ｃ）の状態では、凝縮器である第２吸着熱交換器（102）を通過した空気が第２吸着ブロック（302）を通過するが、圧縮機（103）の起動直後で凝縮温度が低い状態であるため、第２吸着ブロック（302）の温度はそれほど上昇しない。
【００９６】
図４（Ｄ）の動作を行うときは、凝縮器になっている第２吸着熱交換器（102）の上流側に位置する第２吸着ブロック（302）が既に冷却されている。したがって、冷媒回路（100）の高圧圧力が上昇しすぎることを防止できる。その後は、第１除湿動作と第２除湿動作を交互に繰り返すことにより、通常の運転制御が行われる。
【００９７】
〈実施形態の効果〉
本実施形態によれば、圧縮機（103）を起動する前には予冷運転を行い、次に圧縮機（103）を起動するときに凝縮器になる吸着熱交換器（101,102）に対して上流側に位置する吸着ブロック（301,302）を冷却することにより、凝縮器の温度上昇を抑えるようにしている。したがって、除湿装置の設置場所の周囲温度に関わらず、圧縮機（103）の起動時に冷媒回路（100）の高圧圧力が過度に上昇するのを抑え、圧縮機（103）が停止するのを防止できる。
【００９８】
特に、予冷運転時には、上記処理側空気と再生側空気のうち、冷却器（11）を通過して温度が低くなった処理側空気を、上記圧縮機（103）の起動時に凝縮器になる吸着熱交換器（101,102）の上流側に位置する吸着ブロック（301,302）に流すことにより、その吸着ブロック（301,302）を確実に冷却するようにしているので、圧縮機（103）が停止するのを確実に防止できる。
【００９９】
また、本実施形態によれば、通常運転の開始時に開くダンパ（D2,D3,D5,D8）を上記予冷運転時に閉じ、上記通常運転の開始時に閉じるダンパ（D1,D4,D6,D7）を上記予冷運転時に開くことにより、上記圧縮機（103）の起動時に凝縮器になる吸着熱交換器（101,102）の上流側に位置する吸着ブロック（301,302）を冷却することができ、ダンパ（D1〜D8）を切り換えるだけで予冷運転を行えるので、装置の構造が複雑化するのを防止できる。
【０１００】
さらに、本実施形態によれば、上記圧縮機（103）の起動時に凝縮器になる吸着熱交換器（101,102）がある熱交換室（S11,S12）を処理側空気が通過する予冷運転の切り換え動作を、図４（Ｃ）に示すように所定時間にわたって行った後に、蒸発器になる吸着熱交換器（101,102）がある熱交換室（S11,S12）を処理側空気が通過する通常運転の切り換え動作を行うようにしており、予冷運転中には蒸発器になる吸着熱交換器（101,102）に再生側空気を流しているので、吸着熱交換器（101,102）が次に処理側になるときの処理能力を高められる。
【０１０１】
（その他の実施形態）
上記実施形態については、以下のような構成としてもよい。
【０１０２】
例えば、上記実施形態では、予冷運転時には、圧縮機（103）の起動時に凝縮器になる吸着熱交換器（101,102）の上流側に位置する吸着ブロック（301,302）に処理側空気を流すようにダンパ（D1〜D8）を切り換えているが、その吸着ブロック（301,302）よりも温度が低い空気であれば、再生側空気を流してもよい。その場合、再生側空気の温度は、上記吸着ブロック（301,302）の温度より低ければ、処理側空気の温度より高くてもよい。
【０１０３】
また、上記実施形態では、切換機構（200）を、上記第１熱交換室（S11）と第２熱交換室（S12）を通る空気の流通経路を切り換える複数のダンパ（D1〜D8）により構成し、上記通常運転の開始時に開くダンパ（D2,D3,D5,D8）を上記予冷運転時に閉じ、上記通常運転の開始時に閉じるダンパ（D1,D4,D6,D7）を上記予冷運転時に開くことにより、予冷運転の切り換え動作を行うようにしているが、ダンパ以外の機構を用いて切換機構（200）を構成してもよい。
【０１０４】
なお、以上の実施形態は、本質的に好ましい例示であって、この発明、その適用物、あるいはその用途の範囲を制限することを意図するものではない。
【産業上の利用可能性】
【０１０５】
以上説明したように、本発明は、空気を除湿して調湿空間に供給する除湿装置を備えた除湿システムについて有用である。
【符号の説明】
【０１０６】
11    冷却器
100   冷媒回路
101   第１吸着熱交換器
102   第２吸着熱交換器
200   切換機構
301   第１吸着ブロック
302   第２吸着ブロック
S0    調湿空間
S11   第１熱交換室
S12   第２熱交換室
【図１】
0006009531.tif 000002
【図２】
0006009531.tif 000003
【図３】
0006009531.tif 000004
【図４】
0006009531.tif 000005